(57)【要約】      （修正有）【課題】自動車の純正デジタル時計は時刻の逸脱が生じた場合、一般的な腕時計と同じように手動で時刻合わせをおこなう必要があるが、操作が面倒なため時刻を合わせないまま使用している場合が多い。一方自動車アクセサリーのアフターマーケットにおいて、故障診断コードや車両リアルタイムデータを表示する機器が多数販売されている。しかしながらアフターマーケット品は車両の内装に直接取り付けて使用するため、後付けによる見栄えの悪さにより、ユーザーの不満につながる要因となっている。【解決手段】自動車の純正デジタル時計の筐体に内部構造に合わせた表示器付きの電子回路基板１を組み込み、表示器にインターネットに同期した時刻、故障診断コード、および車両リアルタイムデータを表示する。表示項目は純正デジタル時計のボタンに連動した操作スイッチで切り替えをおこなう。【選択図】図１
0003233015.tif 000002
【実用新案登録請求の範囲】
【請求項１】
自動車の純正デジタル時計のケースとボタンの位置に合わせた操作スイッチと表示器を有する電子回路基板を設けるとともに，自動車の純正デジタル時計のボタンを操作することで，インターネットに同期した時刻，故障診断コード，走行リアルタイムデータの表示と記録、車両リアルタイムデータの表示変更をおこなうことができることを特徴とする電子回路基板。
【請求項２】
自動車の純正デジタル時計のボタンを操作し，内蔵ウェブサーバーを起動し，スマートフォン，タブレット，パソコン等から車両リアルタイムデータの確認と車両デバイスの動作確認をおこなうための機能を備える電子回路基板。
【考案の詳細な説明】
【技術分野】
【０００１】
本考案は自動車用デジタル時計および車両情報表示に関するものである。
【背景技術】
【０００２】
従来の自動車用デジタル時計は，手動で時刻合わせを行う必要があり，時刻のみが表示できるものであった。一方で，一般ユーザーが車両データを確認する場合はアフターマーケットの表示器を購入し，インストルメントパネルなどに直接取り付けをおこなう必要があった。
【先行技術文献】
【特許文献】
【０００３】
【特許文献１】特開２００４−１８９１４４
【考案の概要】
【考案が解決しようとする課題】
【０００４】
自動車の純正デジタル時計は，時刻の逸脱が生じた場合，一般的な腕時計と同じように手動で時刻合わせをおこなう必要があるが，操作が面倒なため時刻を合わせないまま使用している場合が多い。一方，自動車アクセサリーのアフターマーケットにおいて，故障診断コードや車両リアルタイムデータを表示する機器が多数販売されている。しかしながらアフターマーケット品は，車両の内装に直接取り付けて使用するため，後付けによる見栄えの悪さにより，ユーザーの不満につながる要因となっている。
【課題を解決するための手段】
【０００５】
自動車の純正デジタル時計の筐体に内部構造に合わせた表示器付きの電子回路基板を組み込み，表示器にインターネットに同期した時刻，故障診断コード，車両リアルタイムデータを表示する。表示項目は純正デジタル時計のボタンに連動した操作スイッチで切り替えをおこなうことで，面倒な時計合わせと見栄えの悪さの課題を同時に解決することができる。
【考案の効果】
【０００６】
純正デジタル時計の筐体を流用したシンプルな構成であり,ドライバーは正確な時刻と故障診断コードや車両リアルタイムデータを純正デジタル時計の筐体一つで確認することができる。純正デジタル時計を精度向上させ,車両データ表示機能を追加することにより,車室内の見栄えを損なうことなく正確な時刻と車両のデータを確認することができる。
【図面の簡単な説明】
【０００７】
【図１】表示器付き電子回路基板を示す。
【図２】本考案の全体システムを示す。
【図３】車両リアルタイムデータの表示例。
【図４】内蔵ウェブサーバーによる車両リアルタイムデータと車両デバイス操作画面の実施例。
【考案を実施するための形態】
【０００８】
自動車の純正時計の筐体に時計の内部構造に合わせた表示器付きの電子回路基板を組み込み，時刻をインターネットに同期させることで，時計合わせを不要とし，正確な時計として機能させ，かつ故障診断コードと車両リアルタイムデータの表示器としても利用できるようにする。したがって面倒な時計合わせとアフターマーケット品による見栄えの悪さの課題を同時に解決することができる。
【実施例】
【０００９】
以下，添付図面に従って一実施例を説明する。図１の符号１は自動車の純正デジタル時計の筐体に時計の内部構造に合わせた表示器付きの電子回路基板を示す。図１の符号２及び図１の符号３は純正デジタル時計の筐体を示す。図１の符号１、図１の符号２の純正デジタル時計の筐体に組み込まれている時計基板と図の符号１の基板を交換して組み込み，表示器にインターネットに同期した時刻，故障診断コードおよび車両リアルタイムデータを表示する。表示項目の切り替えは純正デジタル時計のボタンに連動した操作スイッチで切り替えをおこなう。
【００１０】
図２は本システムの全体構成図を示す。図２の符号４は内蔵ウェブサーバーなどの主プログラムを格納する電子回路基板を示す。図２の符号５は車両の診断コネクターに接続するためのハーネスを示す。図２の符号４の電子回路基板によりインターネットに接続して時刻同期をおこない，車両との通信をおこなう。図３は表示器に表示される車両リアルタイムデータの一例を示す。純正デジタル時計のボタンに連動した操作スイッチにより表示切り替えをおこなう。
【００１１】
図４は内蔵ウェブサーバーによる車両リアルタイムデータと車両デバイス操作画面の一例を示す。純正デジタル時計のボタンに連動した操作スイッチにより内蔵ウェブサーバーを起動することで、パソコンやスマートフォン等からも操作できるようになり，物理スイッチや表示器のサイズによる表示と操作の制限が解消され，より多くのデータを扱うことや車両デバイス操作などが可能となる。
【産業上の利用可能性】
【００１２】
本考案の表示器付き電子回路基板を，車両ごとの純正デジタル時計の寸法に合わせて設計することによって，純正デジタル時計を装着している全ての車両で利用することが可能である。
【符号の説明】
【００１３】
１表示器付きの電子回路基板
２自動車の純正デジタル時計の筐体
３自動車の純正デジタル時計の筐体
４内蔵ウェブサーバーなどの主プログラムを格納する電子回路基板
５車両の診断コネクターに接続するハーネス
【図１】
0003233015.tif 000003
【図２】
0003233015.tif 000004
【図３】
0003233015.tif 000005
【図４】
0003233015.tif 000006
【手続補正書】
【提出日】令和3年5月17日(2021.5.17)
【手続補正１】
【補正対象書類名】実用新案登録請求の範囲
【補正対象項目名】全文
【補正方法】変更
【補正の内容】
【実用新案登録請求の範囲】
【請求項１】
自動車の純正デジタル時計の筐体に組み込むことができるよう、純正デジタル時計の内部構造に合わせた基板寸法を有し、純正デジタル時計のボタンの位置に合わせた操作スイッチ、および表示器を有する電子回路基板。
【請求項２】
自動車の純正デジタル時計のボタンを操作し，インターネットに同期した時刻，故障診断コード，走行リアルタイムデータの表示と記録、車両リアルタイムデータの表示変更、さらに内蔵ウェブサーバーを起動し，スマートフォン，タブレット，パソコン等から車両リアルタイムデータの確認と車両デバイスの動作確認をおこなう機能を備える請求項１に記載の電子回路基板。